(57)【要約】【課題】光源の輝度が変更された場合に、ユーザが電気料金の変化を確認することが可能な表示装置を提供する。【解決手段】液晶テレビ（表示装置）１００は、液晶パネル１８と、液晶パネル１８に光を照射するバックライト１４と、バックライト１４の輝度を調整するためのマイコン２０とを備えている。そして、マイコン２０は、年間の電気料金の目安をバックライト１４の輝度に応じて算出するとともに、算出された電気料金の目安を液晶パネル１８に表示するように構成されている。【選択図】図２
2009294293.tif 000002
【特許請求の範囲】
【請求項１】
表示パネルと、
前記表示パネルに光を照射する光源と、
前記光源の輝度を調整するための制御部と、を備えた表示装置において、
前記制御部は、所定期間内における電気料金の目安を前記光源の輝度に応じて算出するとともに、算出された前記電気料金の目安を前記表示パネルに表示するように構成されていることを特徴とする表示装置。
【請求項２】
請求項１に記載の表示装置において、
前記光源に供給される電力を計測するための検出部をさらに備え、
前記制御部は、前記光源に供給される電力を調整することにより、前記光源の輝度を調整するように構成され、かつ、前記検出部の検出結果に基づいて、前記所定期間内における消費電力量の目安を算出することにより、前記所定期間内における電気料金の目安を算出するように構成されていることを特徴とする表示装置。
【請求項３】
請求項２に記載の表示装置において、
ユーザにより電気料金の単価を設定可能に構成されており、
前記制御部は、前記所定期間内における消費電力量の目安と、前記電気料金の単価とに基づいて、前記所定期間内における電気料金の目安を算出するように構成されていることを特徴とする表示装置。
【請求項４】
請求項１ないし請求項３のいずれかに記載の表示装置において、
前記制御部は、前記光源の輝度が変更された場合に、前記算出された電気料金の目安を前記光源の輝度情報とともに前記表示パネルに表示するように構成されていることを特徴とする表示装置。
【発明の詳細な説明】
【技術分野】
【０００１】
本発明は、表示パネルおよび光源を備えた表示装置に関する。
【背景技術】
【０００２】
従来、液晶パネル（表示パネル）と、バックライト（光源）とを備えた液晶テレビジョン受像機（表示装置）が知られている。この液晶テレビジョン受像機では、消費電力の多くをバックライトにおける消費電力が占めている。したがって、バックライトの輝度が変更されることにより、液晶テレビジョン受像機の消費電力が大きく変化する。すなわち、バックライトの輝度が変更されることにより、液晶テレビジョン受像機の電気料金が大きく変化する。
【０００３】
また、従来では、消費電力量や電気料金が表示される電気機器などが種々知られている（たとえば、特許文献１〜４参照）。
【０００４】
上記特許文献１には、テレビジョン受信機の消費電力を表示するための電力表示装置が開示されている。また、上記特許文献２には、家屋内の各電気機器による消費電力量を算出してテレビ受像機に表示させる消費電力量表示システムが開示されている。また、上記特許文献３には、消費電力量に対応する電気料金が表示される衛生洗浄装置が開示されている。また、上記特許文献４には、番組情報とともに各番組の放送時間における電気料金が表示されるテレビジョン放送受信装置が開示されている。
【０００５】
【特許文献１】実開昭５７−２６１６１号公報
【特許文献２】特開２００２−４００５５号公報
【特許文献３】特開２０００−２４０１２９号公報
【特許文献４】特開２００６−２０３７２０号公報
【発明の開示】
【発明が解決しようとする課題】
【０００６】
しかしながら、従来の液晶テレビジョン受像機では、バックライトの輝度が変更された場合に、液晶テレビジョン受像機の電気料金が大きく変化するが、ユーザがその電気料金の変化を確認することができないという問題点がある。
【０００７】
なお、上記特許文献１〜４に開示された電気機器などでは、バックライトの輝度が変更された場合に、ユーザに液晶テレビジョン受像機の電気料金の変化を確認させるための構成については、開示されていない。
【０００８】
本発明は、上述した課題を解決するものであって、その目的とするところは、光源の輝度が変更された場合に、ユーザが電気料金の変化を確認することが可能な表示装置を提供することである。
【課題を解決するための手段】
【０００９】
本発明の表示装置は、表示パネルと、表示パネルに光を照射する光源と、光源の輝度を調整するための制御部とを備えた表示装置において、制御部は、所定期間内における電気料金の目安を光源の輝度に応じて算出するとともに、算出された電気料金の目安を表示パネルに表示するように構成されている。
【００１０】
このように構成することによって、光源の輝度が変更された場合に、変更された輝度に応じて所定期間内における電気料金の目安が算出され、その電気料金の目安が表示パネルに表示されるので、ユーザが光源の輝度を変更させることによる電気料金の変化を確認することができる。
【００１１】
上記表示装置において、好ましくは、光源に供給される電力を計測するための検出部をさらに備え、制御部は、光源に供給される電力を調整することにより、光源の輝度を調整するように構成され、かつ、検出部の検出結果に基づいて、所定期間内における消費電力量の目安を算出することにより、所定期間内における電気料金の目安を算出するように構成されている。
【００１２】
このように構成することによって、容易に、所定期間内における電気料金の目安を算出することができる。
【００１３】
この場合において、好ましくは、ユーザにより電気料金の単価を設定可能に構成されており、制御部は、所定期間内における消費電力量の目安と、電気料金の単価とに基づいて、所定期間内における電気料金の目安を算出するように構成されている。
【００１４】
このように構成することによって、電気料金の単価が変更された場合にも、ユーザが再設定することにより、所定期間内における電気料金の目安を正確に算出することができる。
【００１５】
上記表示装置において、好ましくは、制御部は、光源の輝度が変更された場合に、算出された電気料金の目安を光源の輝度情報とともに表示パネルに表示するように構成されている。
【００１６】
このように構成することによって、ユーザは、光源の輝度を変更した場合に、所定期間内における電気料金の目安を、光源の輝度情報とともに確認することができる。
【発明の効果】
【００１７】
本発明によれば、光源の輝度が変更された場合に、ユーザが電気料金の変化を確認することが可能な表示装置を提供することができる。
【発明を実施するための最良の形態】
【００１８】
以下、本発明の実施形態について、図面を参照しながら説明する。なお、以下の実施形態では、表示装置の一例である液晶テレビジョン受像機（以下、単に「液晶テレビ」という）に本発明を適用した場合について説明する。
【００１９】
図１は、本発明の一実施形態による液晶テレビの全体構成を示した斜視図である。図２は、図１の液晶テレビの全体構成を示したブロック図である。図３および図４は、図１の液晶テレビの液晶パネルを示した図である。まず、図１〜図４を参照して、本実施形態による液晶テレビ１００の構成について説明する。
【００２０】
本発明の一実施形態による液晶テレビ１００は、図１に示すように、テレビジョン放送を受信して表示するテレビ本体１と、テレビ本体１を遠隔操作するリモコン２とを備えている。
【００２１】
テレビ本体１は、図２に示すように、ブリッジ整流回路１１と、検出部１２と、インバータ回路１３と、バックライト１４と、チューナ１５と、映像処理回路１６と、駆動回路１７と、液晶パネル１８と、受信部１９と、マイクロコンピュータ（以下、「マイコン」という）２０とを含んでいる。なお、バックライト１４は、本発明の「光源」の一例であり、液晶パネル１８は、本発明の「表示パネル」の一例である。また、マイコン２０は、本発明の「制御部」の一例である。
【００２２】
ブリッジ整流回路１１は、４つのダイオードなどからなり、交流電源１５０から供給される電力を交流から直流に変換してインバータ回路１３に出力するように構成されている。なお、図２では省略したが、ブリッジ整流回路１１は、マイコン２０などにも電力を供給している。また、テレビ本体１では、消費電力の多くをインバータ回路１３に供給される電力が占めている。すなわち、テレビ本体１では、バックライト１４の輝度が変更されることにより、消費電力が大きく変化するので、電気料金が大きく変化する。
【００２３】
検出部１２は、インバータ回路１３に供給される電力を計測するために設けられている。この検出部１２は、抵抗器１２ａと、電圧検出回路１２ｂと、Ａ／Ｄ変換回路１２ｃとを有する。抵抗器１２ａは、ブリッジ整流回路１１とインバータ回路１３との間に直列に接続されている。電圧検出回路１２ｂは、ブリッジ整流回路１１と抵抗器１２ａとの間のノードＮ１の電圧と、抵抗器１２ａとインバータ回路１３との間のノードＮ２の電圧とを検出するように構成されている。Ａ／Ｄ変換回路１２ｃは、電圧検出回路１２ｂの検出結果をアナログ信号からデジタル信号に変換してマイコン２０に出力する機能を有する。
【００２４】
インバータ回路１３は、ブリッジ整流回路１１から供給された直流電圧を高圧の交流電圧に変換してバックライト１４に供給するために設けられている。バックライト１４は、液晶パネル１８の背面から光を照射するために設けられている。このバックライト１４は、冷陰極管などを有し、インバータ回路１３から供給される電圧により冷陰極管が点灯するように構成されている。
【００２５】
チューナ１５は、アンテナ１５１が受信したテレビジョン放送のチャンネルを選択するとともに、選択されたチャンネルの映像データを映像処理回路１６に出力する機能を有する。映像処理回路１６は、チューナ１５から入力された映像データに対して所定の処理を行うとともに、所定の処理が行われた映像データを駆動回路１７に出力するように構成されている。また、映像処理回路１６は、マイコン２０からＯＳＤ（On-Screen Display）データが供給された場合には、映像データにＯＳＤデータを重畳する機能を有する。駆動回路１７は、映像処理回路１６から入力された映像データに基づいて、液晶パネル１８の各ドットの開口率を制御する駆動信号を生成する機能を有する。液晶パネル１８は、バックライト１４から照射された光を駆動信号に応じて透過させることにより、映像を表示するように構成されている。
【００２６】
受信部１９は、リモコン２から出力されるリモコン信号を受信してマイコン２０に出力する機能を有する。マイコン２０は、テレビ本体１の動作を制御する機能を有する。また、マイコン２０は、インバータ回路１３を制御することにより、バックライト１４の輝度を「明るい」、「標準」、または「暗い」のいずれかに設定するように構成されている。
【００２７】
また、マイコン２０は、バックライト１４における年間の消費電力量の目安Ｐｔを算出する機能を有する。具体的には、マイコン２０には、１日当たりの平均視聴時間と、抵抗器１２ａの抵抗値とが記憶されている。そして、マイコン２０には、ノードＮ１の電圧とノードＮ２の電圧とが検出部１２から入力されている。したがって、マイコン２０は、ノードＮ１の電圧とノードＮ２の電圧との差と、抵抗器１２ａの抵抗値とから抵抗器１２ａの電流を算出することが可能である。その結果、マイコン２０は、抵抗器１２ａの電流と、ノードＮ１の電圧とからインバータ回路１３に供給される電力Ｐを算出することが可能である。そして、マイコン２０は、インバータ回路１３に供給される電力Ｐと、１日当たりの平均視聴時間とから年間の消費電力量の目安Ｐｔを算出する。
【００２８】
たとえば、抵抗器１２ａの抵抗値が０．５（Ω）であり、ノードＮ１の電圧が３０（Ｖ）であり、ノードＮ２の電圧が２８．５（Ｖ）であれば、
Ｐ＝｛（３０−２８．５）／０．５｝×３０＝９０（Ｗ）
となる。そして、１日当たりの平均視聴時間を４．５（時間）とすると、
Ｐｔ＝９０×４．５×３６５／１０００≒１４８（ｋＷｈ／年）
となる。
【００２９】
ここで、本実施形態では、テレビ本体１は、年間の電気料金の目安Ａを算出する機能を有する。具体的には、テレビ本体１は、ユーザがリモコン２を用いて、１ｋＷｈ当たりの電気料金を設定可能に構成されている。したがって、テレビ本体１は、年間の消費電力量の目安Ｐｔと、１ｋＷｈ当たりの電気料金とから年間の電気料金の目安Ａを算出することが可能である。なお、年間の電気料金は、本発明の「所定期間内における電気料金」の一例である。
【００３０】
たとえば、１ｋＷｈ当たりの電気料金が３０（円）に設定されていれば、Ｐｔが１４８（ｋＷｈ／年）であるとき、
Ａ＝１４８×３０＝４４４０（円／年）
となる。
【００３１】
また、テレビ本体１は、図３に示すような「電気料金単価設定」画面Ｗ１を液晶パネル１８に表示する機能を有する。そして、テレビ本体１は、「電気料金単価設定」画面Ｗ１が表示されているときに、ユーザが１ｋＷｈ当たりの電気料金を所定の値に設定することが可能なように構成されている。
【００３２】
また、本実施形態では、テレビ本体１は、ユーザがリモコン２を用いて、年間の電気料金の目安Ａをバックライト１４の輝度情報とともに表示させるか否かを設定可能に構成されている。具体的には、テレビ本体１は、図４に示すような「電気料金表示設定」画面Ｗ２を液晶パネル１８に表示する機能を有する。そして、テレビ本体１は、「電気料金表示設定」画面Ｗ２が表示されているときに、ユーザが年間の電気料金の目安Ａを表示させるか否かを設定することが可能なように構成されている。
【００３３】
図５は、本発明の一実施形態による液晶テレビのバックライトの輝度変更動作を説明するためのフローチャートである。図６〜図８は、図１の液晶テレビの液晶パネルを示した図である。次に、図２および図５〜図８を参照して、本実施形態による液晶テレビ１００のバックライト１４の輝度が変更される際の動作について説明する。
【００３４】
まず、液晶テレビ１００（図２参照）では、図５のステップＳ１において、マイコン２０（図２参照）により、受信部１９（図２参照）がリモコン２（図２参照）からバックライト１４（図２参照）の輝度を変更する旨を示すリモコン信号を受信したか否かが判断される。そして、マイコン２０により、受信部１９がそのリモコン信号を受信したと判断された場合には、ステップＳ２に移る。その一方、マイコン２０により、受信部１９がそのリモコン信号を受信していないと判断された場合には、ステップＳ１が繰り返し行われる。
【００３５】
次に、ステップＳ２において、マイコン２０により、インバータ回路１３（図２参照）が制御されることによって、バックライト１４の輝度が「明るい」、「標準」、または「暗い」のいずれかに変更される。
【００３６】
次に、ステップＳ３において、マイコン２０により、１ｋＷｈ当たりの電気料金が設定されているか否かが判断される。そして、マイコン２０により、１ｋＷｈ当たりの電気料金が設定されている（図３参照）と判断された場合には、ステップＳ４に移る。その一方、マイコン２０により、１ｋＷｈ当たりの電気料金が設定されていないと判断された場合には、ステップＳ８に移る。
【００３７】
次に、ステップＳ４において、マイコン２０により、年間の電気料金の目安Ａを表示させるか否かが判断される。そして、マイコン２０により、年間の電気料金の目安Ａの表示設定がされている（図４参照）と判断された場合には、ステップＳ５に移る。その一方、マイコン２０により、年間の電気料金の目安Ａの表示設定がされていないと判断された場合には、ステップＳ８に移る。
【００３８】
次に、ステップＳ５において、マイコン２０により、年間の消費電力量の目安Ｐｔが算出される。そして、ステップＳ６において、マイコン２０により、年間の電気料金の目安Ａが算出される。
【００３９】
次に、ステップＳ７において、マイコン２０により、年間の電気料金の目安Ａがバックライト１４の輝度情報とともに所定の期間（たとえば、約５秒間）だけ液晶パネル１８（図２参照）に表示され、その後、輝度変更動作が終了する。たとえば、ステップＳ２においてバックライト１４の輝度が「標準」に変更された場合には、マイコン２０により、図６に示すように、ステップＳ６において算出された年間の電気料金の目安Ａ（４４４０円）がバックライト１４の輝度情報（標準）とともに表示される。また、ステップＳ２においてバックライト１４の輝度が「明るい」に変更された場合には、マイコン２０により、図７に示すように、ステップＳ６において算出された年間の電気料金の目安Ａ（７３９１円）がバックライト１４の輝度情報（明るい）とともに表示される。また、ステップＳ２においてバックライト１４の輝度が「暗い」に変更された場合には、マイコン２０により、図８に示すように、ステップＳ６において算出された年間の電気料金の目安Ａ（２８７４円）がバックライト１４の輝度情報（暗い）とともに表示される。
【００４０】
また、ステップＳ８において、マイコン２０により、バックライト１４の輝度情報のみが所定の期間（たとえば、約５秒間）だけ液晶パネル１８に表示され、その後、輝度変更動作が終了する。
【００４１】
本実施形態では、上記のように、バックライト１４の輝度に応じた年間の電気料金の目安Ａを液晶パネル１８に表示することによって、ユーザがバックライト１４の輝度を変更させることによる電気料金の変化を確認することができる。したがって、ユーザがバックライト１４の輝度を低下させた場合に、大きく低下する年間の電気料金の目安Ａを確認することができるので、ユーザがバックライト１４の輝度を低下させた状態で使用することを促すことができる。これにより、省エネ化の促進を図ることができる。
【００４２】
また、本実施形態では、検出部１２を設けることによって、バックライト１４の輝度に応じた消費電力を算出することができる。したがって、年間の電気料金の目安Ａを容易に算出することができる。
【００４３】
また、本実施形態では、１ｋＷｈ当たりの電気料金を設定可能に構成することによって、電気料金の単価が変更された場合にも、ユーザが再設定することにより、年間の電気料金の目安Ａを正確に算出することができる。
【００４４】
本発明は、上述した以外にも種々の実施形態を採用することができる。たとえば、上記実施形態において、１日当たりの平均視聴時間をユーザが設定するようにしてもよい。また、１日当たりの平均視聴時間を利用履歴に基づいてマイコン２０が算出するようにしてもよい。このように構成すれば、ユーザの利用状況に応じた年間の電気料金の目安Ａを算出することができる。
【００４５】
また、上記実施形態では、輝度を３段階に変更可能なバックライト１４を示したが、これに限らず、輝度を線形的に変更可能なバックライト１４を用いてもよい。
【００４６】
また、上記実施形態では、バックライト１４における年間の消費電力量の目安Ｐｔを算出する例を示したが、これに限らず、テレビ本体１における年間の消費電力量の目安を算出するようにしてもよい。
【００４７】
また、上記実施形態では、バックライト１４の輝度が変更された際に、変更後の輝度に応じた年間の電気料金の目安Ａを表示する例を示したが、これに限らず、バックライト１４の輝度が変更された際に、変更前の輝度に応じた年間の電気料金の目安と、変更後の輝度に応じた年間の電気料金の目安とを表示するようにしてもよい。また、バックライト１４の輝度が変更された際に、変更前の輝度に応じた年間の電気料金の目安と、変更後の輝度に応じた年間の電気料金の目安との差額を表示するようにしてもよい。
【００４８】
また、上記実施形態では、バックライト１４の輝度が変更された際に、年間の電気料金の目安Ａを表示する例を示したが、これに限らず、バックライト１４の輝度を変更することなく、現在の輝度に応じた年間の電気料金の目安Ａを表示するようにしてもよい。また、各輝度（「明るい」、「標準」、および「暗い」）に応じた年間の電気料金の目安Ａの一覧を表示するようにしてもよい。
【００４９】
また、上記実施形態では、バックライト１４の輝度が変更された際に、年間の電気料金の目安Ａをバックライト１４の輝度情報とともに表示する例を示したが、これに限らず、バックライト１４の輝度が変更された際に、年間の電気料金の目安Ａのみを表示するようにしてもよい。
【００５０】
また、上記実施形態では、年間の電気料金の目安Ａを表示する例を示したが、これに限らず、たとえば、月間の電気料金の目安を表示するようにしてもよい。
【００５１】
また、年間の電気料金の上限をユーザが設定可能なように液晶テレビを構成し、設定された年間の電気料金の上限に応じた輝度となるようにバックライトを制御するようにしてもよい。
【図面の簡単な説明】
【００５２】
【図１】本発明の一実施形態による液晶テレビの全体構成を示した斜視図である。
【図２】図１の液晶テレビの全体構成を示したブロック図である。
【図３】図１の液晶テレビの液晶パネルを示した図である。
【図４】図１の液晶テレビの液晶パネルを示した図である。
【図５】本発明の一実施形態による液晶テレビのバックライトの輝度変更動作を説明するためのフローチャートである。
【図６】図１の液晶テレビの液晶パネルを示した図である。
【図７】図１の液晶テレビの液晶パネルを示した図である。
【図８】図１の液晶テレビの液晶パネルを示した図である。
【符号の説明】
【００５３】
１２      検出部
１４      バックライト（光源）
１８      液晶パネル（表示パネル）
２０      マイコン（制御部）
１００    液晶テレビ（表示装置）
【図１】
2009294293.tif 000003
【図２】
2009294293.tif 000004
【図３】
2009294293.tif 000005
【図４】
2009294293.tif 000006
【図５】
2009294293.tif 000007
【図６】
2009294293.tif 000008
【図７】
2009294293.tif 000009
【図８】
2009294293.tif 000010